【手続補正書】
【提出日】平成25年8月26日(2013.8.26)
【手続補正１】
【補正対象書類名】特許請求の範囲
【補正対象項目名】全文
【補正方法】変更
【補正の内容】
【特許請求の範囲】
【請求項１】
集積回路であって、
実数部と複素数部とを含む第１の複数の記号を受信し、
前記第１の複数の記号に共役対称性を適用し、複素数部を含まない第２の複数の記号を作成し、
逆高速フーリエ変換を用いて前記第２の複数の記号を変換し、第３の複数の記号を作成し、
前記第３の複数の記号の少なくとも１つの実数部を含むショート・トレーニング・フィールドを生成し、
前記ショート・トレーニング・フィールド内の一群のビットの１つ又はそれ以上の反復を無効にし、
同期化ヘッダーの一部としての前記ショート・トレーニング・フィールドと前記同期化ヘッダーの一部としてのロング・トレーニング・フィールドとを含むパケットを生成し、
無線ネットワーク内の通信のため前記パケットを用いる、
ように構成されるロジックを含む、集積回路。
【請求項２】
請求項１の集積回路であって、
前記ロング・トレーニング・フィールドが、それぞれトーン［０、１、２、３、４、５、６、７、８、９、１０，１１、１２、１３、１４、１５、−１６、−１５、−１４、−１３、−１２、−１１、−１０、−９、−８、−７、−６、−５、−４、−３、−２、−１］に対し、値［０、−１、−１、１、−１、１、１、−１、−１、１、１、−１、−１、１、０、０、０、０、０、１、−１、１、−１、１、１、１、１、１、１、１、１、−１］を含み、ここで、１又は−１の値がスケールファクタに基づいて調整可能である、集積回路。
【請求項３】
請求項１に記載の集積回路であって、
前記ショート・トレーニング・フィールドが複素数部を含み、前記ロング・トレーニング・フィールドが複素数部を含み、前記ショート・トレーニング・フィールドが２．２４８ｄＢを下回るピーク対平均電力比を有する、集積回路。
【請求項４】
請求項１の集積回路であって、
前記ショート・トレーニング・フィールド内の一群のビットの反復の最後の一つ又はそれ以上を無効にするように構成されるロジックを含む、集積回路。
【請求項５】
請求項１に記載の集積回路であって、
前記ショート・トレーニング・フィールドが複素数部を含み、前記ロング・トレーニング・フィールドが複素数部を含み、前記ロング・トレーニング・フィールドが３．１７ｄＢ以下のピーク対平均電力比を有する、集積回路。
【請求項６】
請求項１の集積回路であって、
前記ショート・トレーニング・フィールドが、それぞれトーン［０、１、２、３、４、５、６、７、８、９、１０，１１、１２、１３、１４、１５、−１６、−１５、−１４、−１３、−１２、−１１、−１０、−９、−８、−７、−６、−５、−４、−３、−２、−１］に対し、値［０、０、０、０、−１、０、０、０、１、０、０、０、−１、０、０、０、０、０、０、０、１、０、０、０、１、０、０、０、１、０、０、０］を含み、ここで、１又は−１の値がスケールファクタに基づいて調整可能である、集積回路。
【請求項７】
集積回路であって、
同期化ヘッダーの一部としてのショート・トレーニング・フィールドと前記同期化ヘッダーの一部としてのロング・トレーニング・フィールドとを含むパケットを受信し、
無線ネットワーク内の通信のため前記パケットを用いる、
ように構成されるロジックを含み、
前記パケットが、
実数部と複素数部とを含む第１の複数の記号と、
前記第１の複数の記号に適用され、複素数部を含まない第２の複数の記号を作成する、共役対称性と、
逆高速フーリエ変換を用いて変換され、第３の複数の記号を作成する、前記第２の複数の記号と、
前記第３の複数の記号の少なくとも１つの実数部を含む、生成された前記ショート・トレーニング・フィールドと、
無効にされた、前記ショート・トレーニング・フィールド内の一群のビットの１つ又はそれ以上の反復と、
から生成される、集積回路。
【請求項８】
請求項７に記載の集積回路であって、
自動利得制御計算が前記ショート・トレーニング・フィールドに基づいている、集積回路。
【請求項９】
請求項７に記載の集積回路であって、
境界検出が前記ショート・トレーニング・フィールドに基づいている、集積回路。
【請求項１０】
請求項７に記載の集積回路であって、
粗い周波数オフセット推定が前記ショート・トレーニング・フィールドに基づいており、細かな周波数オフセット推定が前記ロング・トレーニング・フィールドに基づいている、集積回路。
【請求項１１】
請求項７に記載の集積回路であって、
整数周波数オフセット推定が前記ロング・トレーニング・フィールドに基づいている、集積回路。
【請求項１２】
請求項７に記載の集積回路であって、
高速フーリエ変換配置が前記ロング・トレーニング・フィールドに基づいている、集積回路。
【請求項１３】
請求項７に記載の集積回路であって、
チャネル推定が前記ロング・トレーニング・フィールドに基づいている、集積回路。
【請求項１４】
デバイスであって、
プロセッサと、
前記プロセッサに結合されるメモリと、
を含み、
前記プロセッサが、
実数部と複素数部とを含む第１の複数の記号を受信し、
前記第１の複数の記号に共役対称性を適用し、複素数部を含まない第２の複数の記号を作成し、
逆高速フーリエ変換を用いて前記第２の複数の記号を変換し、第３の複数の記号を作成し、
前記第３の複数の記号の少なくとも１つの実数部を含むショート・トレーニング・フィールドを生成し、
前記ショート・トレーニング・フィールド内の一群のビットの１つ又はそれ以上の反復を無効にする、
ように構成され、
前記プロセッサが、同期化ヘッダーの一部としての前記ショート・トレーニング・フィールドと前記同期化ヘッダーの一部としてのロング・トレーニング・フィールドとを含むパケットを生成し、
前記デバイスが、無線ネットワーク内の通信のため前記パケットを用いる、
デバイス。
【請求項１５】
請求項１４に記載のデバイスであって、
前記ショート・トレーニング・フィールドが複素数部を含み、前記ロング・トレーニング・フィールドが複素数部を含み、前記ロング・トレーニング・フィールドが３．１７ｄＢを下回るピーク対平均電力比を有するを有する、デバイス。
【請求項１６】
請求項１４に記載のデバイスであって、
前記ロング・トレーニング・フィールドが、それぞれトーン［０、１、２、３、４、５、６、７、８、９、１０，１１、１２、１３、１４、１５、−１６、−１５、−１４、−１３、−１２、−１１、−１０、−９、−８、−７、−６、−５、−４、−３、−２、−１］に対し、値［０、−１、−１、１、−１、１、１、−１、−１、１、１、−１、−１、１、０、０、０、０、０、１、−１、１、−１、１、１、１、１、１、１、１、１、−１］を含み、ここで、１又は−１の値がスケールファクタに基づいて調整可能である、デバイス。
【請求項１７】
請求項１４に記載のデバイスであって、
前記ショート・トレーニング・フィールドが、それぞれトーン［０、１、２、３、４、５、６、７、８、９、１０，１１、１２、１３、１４、１５、−１６、−１５、−１４、−１３、−１２、−１１、−１０、−９、−８、−７、−６、−５、−４、−３、−２、−１］に対し、値［０、０、０、０、−１、０、０、０、１、０、０、０、−１、０、０、０、０、０、０、０、１、０、０、０、１、０、０、０、１、０、０、０］を含み、ここで、１又は−１の値がスケールファクタに基づいて調整可能である、集積回路。
【請求項１８】
請求項１４に記載のデバイスであって、
前記ショート・トレーニング・フィールドが複素数部を含み、前記ロング・トレーニング・フィールドが複素数部を含み、前記ショート・トレーニング・フィールドが２．２４８ｄＢを下回るピーク対平均電力比を有する、デバイス。
【請求項１９】
持続性機械読み取り可能な記憶媒体であって、
実行されると、１つ又はそれ以上のプロセッサに、
実数部と複素数部とを含む第１の複数の記号を受信し、
前記第１の複数の記号に共役対称性を適用し、複素数部を含まない第２の複数の記号を作成し、
逆高速フーリエ変換を用いて前記第２の複数の記号を変換し、第３の複数の記号を作成し、
前記第３の複数の記号の少なくとも１つの実数部を含むショート・トレーニング・フィールドを生成し、
前記ショート・トレーニング・フィールド内の一群のビットの１つ又はそれ以上の反復を無効にする、
ようにさせ、更に、
前記第３の複数の記号の少なくとも１つの実数部を含むロング・トレーニング・フィールドを生成し、
無線ネットワーク内に前記ショート・トレーニング・フィールドとロング・トレーニング・フィールドとを送信する、
ようにさせる実行可能な命令を含む、
持続性機械読み取り可能な記憶媒体。